(57)【要約】【課題】静電気による電子部品の破損を防止することで、高歩留り及び低コスト化を実現可能な表示装置を提供する。【解決手段】本発明の表示装置１０は、表示パネル１１と、前記表示パネル１１の制御を行う制御基板３０と、前記表示パネル１１と前記制御基板３０とを電気的に接続する接続手段６３と、を備え、前記制御基板３０の第１端子部３５と、前記接続手段６３の第２端子部７１とが接続されることで、前記制御基板３０と前記接続手段６３との電気的接続状態が形成されてなり、前記第１端子部３５及び前記第２端子部７１は、それぞれ電気的接続用の通電端子３７，７２と、接地用の接地端子３８，７３とを含み、前記第１端子部３５と前記第２端子部７１との少なくとも一方において、前記接地端子３８，７３の先端は、前記通電端子３７，７２の先端よりも、相手側への接続方向に突出していることを特徴とする。【選択図】図１１
2009300976.tif 000002
【特許請求の範囲】
【請求項１】
表示を行う表示パネルと、
前記表示パネルの制御を行う電子部品が配置された制御基板と、
前記表示パネルと前記制御基板とを電気的に接続する接続手段と、を備え、
前記制御基板に設けられた第１端子部と、前記接続手段に設けられた第２端子部とが接続されることで、前記制御基板と前記接続手段との電気的接続状態が形成されてなり、
前記第１端子部及び前記第２端子部は、それぞれ電気的接続用の通電端子と、接地用の接地端子とを含み、
前記第１端子部と前記第２端子部との少なくとも一方において、前記接地端子の先端は、前記通電端子の先端よりも、相手側への接続方向に突出していることを特徴とする表示装置。
【請求項２】
前記第１端子部において、前記接地端子の先端が、前記通電端子の先端よりも相手側への接続方向に突出していることを特徴とする請求項１に記載の表示装置。
【請求項３】
前記第２端子部において、前記接地端子の先端が、前記通電端子の先端よりも相手側への接続方向に突出していることを特徴とする請求項１又は請求項２に記載の表示装置。
【請求項４】
前記通電端子は複数配列されてなり、
前記接地端子は、配列された前記通電端子のうち端部に位置するものより外側に配されていることを特徴とする請求項１から請求項３のいずれか１項に記載の表示装置。
【請求項５】
前記接続手段はフレキシブル基板であることを特徴とする請求項１から請求項４のいずれか１項に記載の表示装置。
【請求項６】
前記表示パネルは、一対の基板間に液晶が封入されてなる液晶パネルとされることを特徴とする請求項１から請求項５のいずれか１項に記載の表示装置。
【請求項７】
請求項１から請求項６のいずれか１項に記載の表示装置を備えることを特徴とするテレビ受信装置。
【発明の詳細な説明】
【技術分野】
【０００１】
本発明は、表示装置、及びテレビ受信装置に関する。
【背景技術】
【０００２】
従来、液晶表示装置は、表示パネルたる液晶パネルと、当該液晶パネルの駆動を制御する電子部品を備えた制御基板とが、フレキシブル基板（ＦＰＣ；Flexible Printed Circuit board）等を介して電気的に接続された構成とされている。かかる電気的接続状態は、液晶パネルに接続されたＦＰＣを、回路基板に設けられたコネクタに嵌め込むことにより形成することができる。
【０００３】
当該液晶表示装置の組立時には、人体との接触、或いは組立部材の脱着等に伴い静電気が発生し、液晶パネル等に蓄積される場合がある。具体的に例示すると、液晶パネルの組立中には、そのパネル面の傷や汚れを防止するために保護シートが貼り付けられており、当該液晶パネルの組立終了後、液晶パネルと制御基板とを接続する前に、この保護シートを剥がす作業が行われる。ここで、パネル面は絶縁材料からなるため、当該保護シートの剥離作業によって静電気が発生し、液晶パネルに蓄積（帯電）される。この蓄積された静電気の放出、いわゆる静電気放出（ＥＳＤ；Electro Static Discharge）が、回路基板上の電子部品に伝達されることにより、当該電子部品が破損する場合がある。かかる静電気による電子部品の破損を防止するために、静電気が電子部品に伝達され難い構成が検討されている（例えば特許文献１参照）。
【特許文献１】特開平７−１２８６８０号公報
【発明の開示】
【発明が解決しようとする課題】
【０００４】
特許文献１に開示された液晶表示器によれば、回路基板上に取り付けられた第１コネクタと、導電材料で形成された規制手段とを備え、当該規制手段は、回路基板のグランドに接続されてなるとともに、第２コネクタが第１コネクタに接続されてない状態で、第１コネクタと電気的に導通する構造を有している。これにより、第１コネクタは、第２コネクタが接続されていない状態で規制手段を介して回路基板のグランドに接続されることとなる。その結果、当該第１コネクタに静電気が生じる場合であっても、静電気が回路基板上の電子部品に伝達されることがなく、電子部品の破損を防止可能なものとされている。
【０００５】
しかしながら、上記特許文献１の構成によると、第１コネクタを覆うようにして規制手段が設けられてなるため、第１コネクタに第２コネクタを接続する際に、当該規制手段が機構的障害となり、接続作業の作業性を低下させるおそれがある。さらに、別途規制手段を設けることによりコストの増大が避けられない。
【０００６】
本発明は、上記のような事情に基づいてなされたものであって、静電気による電子部品の破損を防止することで、高歩留り及び低コスト化を実現可能な表示装置を提供することを目的としている。また、そのような表示装置を備えたテレビ受信装置を提供することを目的とする。
【課題を解決するための手段】
【０００７】
上記課題を解決するために、本発明の表示装置は、表示を行う表示パネルと、前記表示パネルの制御を行う電子部品が配置された制御基板と、前記表示パネルと前記制御基板とを電気的に接続する接続手段と、を備え、前記制御基板に設けられた第１端子部と、前記接続手段に設けられた第２端子部とが接続されることで、前記制御基板と前記接続手段との電気的接続状態が形成されてなり、前記第１端子部及び前記第２端子部は、それぞれ電気的接続用の通電端子と、接地用の接地端子とを含み、前記第１端子部と前記第２端子部との少なくとも一方において、前記接地端子の先端は、前記通電端子の先端よりも、相手側への接続方向に突出していることを特徴とする。
【０００８】
このような構成によれば、制御基板の第１端子部と、接続手段の第２端子部とを接続する場合に、第１端子部及び第２端子部に形成された接地端子同士が通電端子同士よりも先に接触する。これにより、制御基板と接続手段とを接続する際に、例えば表示パネルに蓄積された静電気が接続手段を介して制御基板へ流れ込み得る場合にも、通電端子よりも先に接触する接地端子同士を通じて放電される。その結果、当該静電気が通電端子を通じて電子部品に伝達されることがなく、当該電子部品が破壊されることを抑止することが可能となる。さらに、本発明の構成によれば、第１端子部と第２端子部との少なくとも一方の接地端子を、電気的接続用の通電端子よりも接続の相手側への接続方向に突出させるという簡便なものとなっている。したがって、制御基板と接続手段との接続作業において、特別な作業を行う必要がなく、作業効率を低下させるおそれがない。
【０００９】
本発明の構成態様としては、前記第１端子部において、前記接地端子の先端が、前記通電端子の先端よりも相手側への接続方向に突出しているものとすることができる。
また、前記第２端子部において、前記接地端子の先端が、前記通電端子の先端よりも相手側への接続方向に突出しているものとすることができる。
このような構成とすることで、制御基板の第１端子部と、接続手段の第２端子部とを接続する場合に、第１端子部と第２端子部とに設けられた接地端子同士が通電端子同士よりも先に接触することが可能となる。
【００１０】
また、前記通電端子は複数配列されてなり、前記接地端子は、配列された前記通電端子のうち端部に位置するものより外側に配されているものとすることができる。
このような構成によれば、制御基板において、通電端子に接続される電子部品の周囲に、接地端子に接続される接地用のグランドパターンを形成することができる。すなわち、電気的接続用の電子部品と、接地用のグランドパターンとを区分して形成することができるため、静電気が電子部品に伝達されることを確実に防止することが可能となる。
【００１１】
また、前記接続手段はフレキシブル基板とすることができる。
フレキシブル基板であれば、接地端子が導通端子に比して相手側への接続方向に突出した構成とすることが容易である。さらに、フレキシブル基板の有する可撓性により、液晶パネルと制御基板との配置態様にかかわらず、これらの電気的接続を好適に形成することができる。
【００１２】
前記表示パネルとしては、一対の基板間に液晶が封入されてなる液晶パネルを例示することができる。このような表示装置は液晶表示装置として、種々の用途、例えばテレビやパソコンのディスプレイ等に適用でき、特に大型画面用として好適である。
【００１３】
また、本発明のテレビ受信装置は、上記表示装置を備えることを特徴とする。
このようなテレビ受信装置によると、静電気による電子部品の破損が確実に防止された表示装置を用いてなるため、当該テレビ受信装置においても電子部品の破損がなく、安定した作動を実現することが可能となる。
【発明の効果】
【００１４】
本発明の表示装置によると、静電気による電子部品の破損を防止することで、高歩留り及び低コスト化を実現することが可能となる。また、本発明のテレビ受信装置によると、そのような表示装置を備えてなるため、低価格化を実現することが可能となる。
【発明を実施するための最良の形態】
【００１５】
＜実施形態１＞
本発明の実施形態１を図１ないし図１２によって説明する。本実施形態では、液晶表示装置１０を備えるテレビ受信装置ＴＶについて例示する。
図１は本実施形態に係るテレビ受信装置の概略構成を示す分解斜視図、図２は液晶表示装置の概略構成を示す分解斜視図、図３は図２の液晶表示装置の長辺方向に沿った断面構成を示す断面図である。
【００１６】
本実施形態に係るテレビ受信装置ＴＶは、図１に示すように、液晶表示装置１０と、当該液晶表示装置１０を挟むようにして収容する表裏両キャビネットＣａ，Ｃｂと、電源Ｐと、テレビ放送などを受信するためのチューナーＴと、スタンドＳとを備えて構成される。液晶表示装置（表示装置）１０は、全体として横長の方形をなし、縦置き状態で収容されている。この液晶表示装置１０は、図２及び図３に示すように、表示パネルである液晶パネル１１と、外部光源であるバックライト装置１２とを備え、これらがベゼル１３などにより一体的に保持されるようになっている。
【００１７】
次に、液晶表示装置１０を構成するバックライト装置１２について説明する（図２及び図３参照）。
バックライト装置１２は、所謂直下型のバックライト装置であって、液晶パネル１１のパネル面（すなわち表示面）の背面直下に配され、当該パネル面に沿って光源（ここでは高圧放電管として冷陰極管１７を用いている）を複数具備した構成となっている。
【００１８】
さらに、バックライト装置１２は、上面側に開口部１４ｂを有した略箱型をなすシャーシ１４と、シャーシ１４の開口部１４ｂを覆うようにして取り付けられる光学部材１５（図示下側から順に、拡散板、拡散シート、レンズシート、反射型偏光板）と、光学部材１５をシャーシ１４に保持するためのフレーム１６とを備える。さらに、シャーシ１４内には、冷陰極管１７と、冷陰極管１７をシャーシ１４に取り付けるためのランプクリップ１８と、冷陰極管１７の端部を支持するランプホルダ１９と、冷陰極管１７群の端部及びランプホルダ１９を一括して覆うホルダ２０とを備える。なお、当該バックライト装置１２においては、冷陰極管１７よりも光学部材１５側が光出射側となっている。
【００１９】
シャーシ１４は、金属製とされ、矩形状の底板１４ａとその各辺から立ち上がる側面とからなる浅い略箱型に形成されている。このシャーシ１４には、冷陰極管１７の光出射側とは反対側（シャーシ１４の底板１４ａの表面側）に、光反射性に優れた白色の反射シート２１が配設されている。当該反射シート２１により、冷陰極管１７から出射された光を光学部材１５側に反射させることが可能となっている。
一方、シャーシ１４の底板１４ａの裏面（冷陰極管１７が配された側とは反対側の面）には、液晶パネル１１の駆動を制御するための制御基板３０が取り付けられている。
【００２０】
冷陰極管１７は、細長い管状をなしており、その長さ方向（軸方向）をシャーシ１４の長辺方向と一致させた状態で、かつ多数本が互いに平行に並んだ状態でシャーシ１４内に収容されている（図２参照）。冷陰極管１７は、白色を呈する合成樹脂製のランプクリップ１８に把持されることで、シャーシ１４（反射シート２１）との間に僅かな間隙が設けられた状態とされている。冷陰極管１７の各端部はランプホルダ１９に嵌め込まれ、これらランプホルダ１９を被覆するようにホルダ２０が取り付けられている。
【００２１】
続いて、液晶パネル１１について説明する。図４は液晶パネルに備わるアレイ基板上の配線構成を示す拡大平面図、図５は液晶パネル及びこれに接続されたフレキシブル基板の構成を示す平面図である。
液晶パネル１１は、図３に示すように、一対の横長な矩形状をなす基板４１，５１と、両基板４１，５１間に介在し、電圧印加に伴って光学特性が変化する液晶分子を含む液晶層４０とを備えている。また、両基板４１，５１の外面側（液晶層４０とは反対側）には、それぞれ表裏一対の偏光板１１ａ，１１ｂが配されている。
【００２２】
両基板４１，５１は、裏側（背面側、バックライト装置１２側）がアレイ基板４１とされ、表側（正面側、表示側）がＣＦ基板５１とされる。アレイ基板４１には、透明な（透光性を有する）ガラス基板４１ａの内面側（液晶層４０側、ＣＦ基板５１との対向面側）に、図４に示すように、格子状にソース配線４２及びゲート配線４３が延設され、当該信号線に囲まれる形で、矩形をなす画素電極４４がマトリクス状に複数配列されている。各画素電極４４には、スイッチング素子であるＴＦＴ（Thin Film Transistor）４５が接続されている。これらのうち、画素電極４４はＴＦＴ４５のドレイン電極に、ソース配線４２はＴＦＴ４５のソース電極に、ゲート配線４３はＴＦＴ４５のゲート電極にそれぞれ接続されている。画素電極４４は、ＩＴＯ（Indium Tin Oxide）或いはＺｎＯ（Zinc Oxide）といった透明電極からなる。
【００２３】
アレイ基板４１のうち、画素電極４４が配置された部分が表示領域（アクティブ領域）とされ、その外側の外周部分（額縁部分）が非表示領域とされる。この非表示領域のうち一方の長辺及び短辺において、図５に示すように、各配線４２，４３の端部とＬＣＤドライバ６０とが接続されている。ＬＣＤドライバ６０には、導電性のパターンがプリントされるとともに、ＬＳＩチップ等のドライバ６１が実装されている。なお、ＬＣＤドライバ６０としては、ＳＯＦ（System On Film）やＴＣＰ（Tape Carrier Package）と称されるものが用いられる。
【００２４】
ＬＣＤドライバ６０のうち、液晶パネル１１と接続された端部とは反対側の端部には、液晶パネル１１の駆動を行うための駆動信号を送信するドライバ基板６２が接続されている。なお、ＬＣＤドライバ６０は、アレイ基板４１やドライバ基板６２に対して異方性導電接着剤（ＡＣＦ；Anisotropic Conductive Film）を介して圧着接続されている。
【００２５】
ドライバ基板６２のうち、ＬＣＤドライバ６０が接続された側とは反対側の端部には、フレキシブル基板（接続手段）６３が接続されている。フレキシブル基板６３は、シャーシ１４の裏面に取り付けられた制御基板３０と接続され、当該制御基板３０から供給される制御信号をドライバ基板６２に送信する機能を有する。ドライバ基板６２は、当該制御信号に基づいて駆動信号を発信し、この駆動信号をＬＣＤドライバ６０を介して液晶パネル１１の各配線４３，４４に供給する。なお本実施形態では、フレキシブル基板６３は、並んで配置される２枚のドライバ基板６２，６２において、それぞれ互いに近い側の端部に接続されるものとされている。これにより、その接続先である制御基板３０の大きさを可能な限り小さいものとすることができる。
【００２６】
一方、アレイ基板４１と対向して配されるＣＦ基板５１には、多数個の着色層と遮光層とから構成されるカラーフィルタ（図示せず）が形成されている。さらにカラーフィルタの表面には、アレイ基板４１の画素電極４４と対向する対向電極（図示せず）が設けられている。当該ＣＦ基板５１は、アレイ基板４１のうちＬＣＤドライバ６０が接続される部分が露出するよう、アレイ基板４１よりも一回り小さい大きさとなっている。
【００２７】
次に、互いに接続される制御基板３０及びフレキシブル基板６３の構成について、より詳細に説明する。まず、制御基板３０について、図６ないし図８を用いて説明する。図６は制御基板の概略構成を示す平面図、図７は図６の制御基板に設けられたコネクタの構成を示す断面図、図８は図７のコネクタの各端子の配置構成を模式的に示す図である。
【００２８】
制御基板３０は、上述のとおり、シャーシ１４の底板１４ａの裏面（冷陰極管１７とは反対側の面）に取り付けられている。当該制御基板３０は、図６に示すように、紙フェノールないしはガラスエポキシ樹脂製の基板３１上に、制御回路（電子部品）３２が実装され、当該制御回路３２と接続される導電パターン３３と、制御回路３２を取り囲むグランドパターン３４とがプリントされている。さらに、基板３１の端部には、導電パターン３３及びグランドパターン３４と電気的に接続され、かつフレキシブル基板６３と接続されるコネクタ（第１端子部）３５が２つ並設されている。制御回路３２は、上記した液晶パネル１１を制御するための制御信号を生成し、当該制御信号が導電パターン３３を通じてコネクタ３５に送信される。
【００２９】
コネクタ３５は、図７に示すように、矩形状の略箱型をなし、樹脂製の中空状とされるモールド３６の内部に、通電端子３７と接地端子３８とが固定されている。モールド３６には、底部及び側部にそれぞれ下開口部３６ａ及び横開口部３６ｂが形成されている。さらに、モールド３６の横開口部３６ｂ側の上端部には、当該横開口部３６ｂを覆い、通電端子３７及び接地端子３８の防塵を行うためのアクチュエーター３９が取り付けられている。アクチュエーター３９は、モールド３６側の端部を揺動軸として上下方向に揺動可能とされている。このアクチュエーター３９を上方向に揺動させることにより、モールド３６の横開口部３６ｂが露出し、当該横開口部３６ｂにフレキシブル基板６３を挿入可能となる。
【００３０】
通電端子３７は、図８に示すように、モールド３６の中央部側に複数配列されており、モールド３６の下開口部３６ａを通じて、導電パターン３３と電気的に接続されている。一方、接地端子３８は、モールド３６の両端部側、ここでは配列された通電端子３７のうち端部に位置するものより外側に、それぞれ１つずつ配置されており、モールド３６の下開口部３６ａを通じて、接地用のグランドパターン３４と電気的に接続されている。
【００３１】
これら通電端子３７及び接地端子３８は、モールド３６の横開口部３６ｂ側では、二股に分かれた形となっており（図７参照）、当該二股部分はフレキシブル基板６３を受け入れ可能な接続孔３７ａ，３８ａを形成している。さらに、接地端子３８の横開口部３６ｂ側の先端は、図８に示すように、接地端子３８の先端より、横開口部３６ｂ側に突出した形となっている。つまり、接地端子３８の先端は、通電端子３７の先端よりフレキシブル基板６３への接続方向に突出した形となっている。
【００３２】
続いて、フレキシブル基板６３の構成について、図９を用いて説明する。図９はフレキシブル基板に形成された導電路の構成を示す平面図である。
フレキシブル基板６３は、可撓性を有するシート状部材であり、図９に示すように、ポリイミド系樹脂からなるシート７０と、当該シート７０上にプリントされた導電路（第２端子部）７１とからなる。導電路７１は、フレキシブル基板６３のうち、制御基板３０のコネクタ３５に接続される側の端部（ドライバ基板６２と接続された側とは反対側の端部）においては、当該導電路７１が複数並列した形となっている。
【００３３】
かかる複数の導電路７１は、コネクタ３５の通電端子３７と接続される通電用導電路（通電端子）７２と、コネクタ３５の接地端子３８と接続される接地用導電路（接地端子）７３とに区分される。これら両導電路７２，７３は、通電用導電路７２が中央側に複数配列され、接地用導電路７３が通電用導電路７２の配列の外側（つまりフレキシブル基板６３の両端部側）にそれぞれ１つずつ配置されている。ここで、両導電路７２，７３の配置態様をこれらの並列方向に見た場合には、通電用導電路７２はコネクタ３５の通電端子３７と同一直線状に配されており、接地用導電路７３はコネクタ３５の接地端子３８と同一直線状に配されている。また、両導電路７２，７３の配置態様をこれらの延設方向に見た場合には、これら通電用導電路７２及び接地用導電路７３は、制御基板３０のコネクタ３５に接続される側の先端部が、同一直線上に位置している。言い換えれば、通電用導電路７２及び接地用導電路７３のうち、その先端部が、フレキシブル基板６３の端部側に突出した位置に配されている導電路７２，７３はない。
【００３４】
次に、制御基板３０とフレキシブル基板６３との接続作業について、図１０ないし図１２を用いて説明する。
図１０は制御基板のコネクタにフレキシブル基板が挿入された状態を示す断面図、図１１はコネクタとフレキシブル基板との接続の途中段階を示す模式図、図１２はコネクタとフレキシブル基板との接続の完了段階を示す模式図である。
液晶パネル１１とバックライト装置１２とは、別途の工程で製造される。液晶パネル１１は、それぞれ一方の長辺縁部及び短辺縁部にフレキシブル基板６３，６３が取り付けられた後、パネル面を保護するために貼付されていた保護シートが剥離される。その後、液晶パネル１１とバックライト装置１２とを組付ける工程に移行し、この工程で制御基板３０とフレキシブル基板６３との接続作業が行われる。
【００３５】
制御基板３０とフレキシブル基板６３との接続作業は、図１０に示すように、制御基板３０上に設けられたコネクタ３５の横開口部３６ｂに、フレキシブル基板６３（の導電路７１）が挿入されることで行われる。より詳細には、コネクタ３５の横開口部３６ｂの下側に設けられた両端子３７，３８と、フレキシブル基板６３に形成された両導電路７２，７３とが接触することにより、制御基板３０とフレキシブル基板６３との間に電気的接続状態が形成される。
【００３６】
フレキシブル基板６３をコネクタ３５の横開口部３６ｂに挿入していくと、図１１に示すように、コネクタ３５の接地端子３８の先端部がフレキシブル基板６３への接続方向に突出しているため、まず、フレキシブル基板６３の接地用導電路７３とコネクタ３５の接地端子３８とが接触する。このとき、液晶パネル１１において、保護シートの剥離作業等に伴い生じた静電気が、フレキシブル基板６３の接地用導電路７３からコネクタ３５の接地端子３８に伝達される。そして、当該静電気は、コネクタ３５の接地端子３８から制御基板３０のグランドパターン３４に伝達されることで放電される。
【００３７】
さらにフレキシブル基板６３のコネクタ３５への挿入を進めると、コネクタ３５において接地端子３８よりも奥側に設けられた通電端子３７と、フレキシブル基板６３の通電用導電路７２とが接触する。これにより、制御基板３０の制御回路３２において生成された制御信号が、導電パターン３３、通電端子３７、通電用導電路７２を介して液晶パネル１１のドライバ基板６２に送信され、ドライバ基板６２において駆動信号に変換された後、液晶パネル１１に送信されることとなる。
【００３８】
以上説明したように、本実施形態に係る液晶表示装置１０は、制御基板３０に設けられたコネクタ３５と、フレキシブル基板６３に形成された導電路７１とが接続されることで、これらコネクタ３５とフレキシブル基板６３との電気的接続状態が形成されてなり、コネクタ３５の接地端子３８の先端が、当該コネクタ３５の通電端子３７の先端よりも、フレキシブル基板６３への接続方向に突出している。
このような構成によれば、制御基板３０のコネクタ３５と、フレキシブル基板６３の導電路７１とを接続する場合に、コネクタ３５の接地端子３８と、導電路７１の接地用導電路７３とが、通電端子３７と通電用導電路７２とよりも先に接触するため、制御回路３２の破壊を抑止することが可能となる。
【００３９】
液晶パネル１１には、静電気が蓄積されている場合があり、当該静電気は制御基板３０とフレキシブル基板６３とが接続されることで、液晶パネル１１からフレキシブル基板６３を介して制御基板３０へ流れ込み得る。この静電気を制御基板３０上の制御回路３２へ流入させないために、本実施形態では、コネクタ３５の接地端子３８を通電端子３７よりもフレキシブル基板６３側への接続方向に突出した形とすることで、通電用導電路７２と通電端子３７とが接触するよりも先に、接地用導電路７３と接地端子３８とが接触するものとしている。これにより、液晶パネル１１に蓄積された静電気は、接地用導電路７３及び接地端子３８を介して、制御基板３０のグランドパターン３４に流れ込み放電されることとなる。その結果、当該静電気が制御回路３２に伝達されることがなく、当該制御回路３２が破壊されることを抑止することが可能となる。
【００４０】
さらに、本実施形態では、コネクタ３５の接地端子３８を、電気的接続用の通電端子３７よりもフレキシブル基板６３への接続方向に突出させるという簡便なものとなっている。したがって、制御基板３０とフレキシブル基板６３との接続作業において、特別な作業を行う必要がなく、作業効率を低下させるおそれがない。
【００４１】
また、本実施形態では、接地端子３８は、複数配列された通電端子３７のうち端部に位置するものよりさらに外側に配されている。
これにより、制御基板３０において、通電端子３７に接続される制御回路３２の周辺に、接地端子３８に接続される接地用のグランドパターン３４を形成することができる。すなわち、電気的接続用の制御回路３２と、接地用のグランドパターン３４とを区分して形成することができるため、静電気が制御回路３２に伝達されることを確実に防止することが可能となる。
【００４２】
また、本実施形態によれば、液晶パネル１１と制御基板３０とが可撓性を有するフレキシブル基板６３により接続されているため、液晶パネル１１と制御基板３０との配置態様にかかわらず、これらの電気的接続を好適に形成することができる。
【００４３】
＜実施形態２＞
次に、本発明の実施形態２を図１３ないし図１５によって説明する。この実施形態２では、前記実施形態１に対してコネクタ及びフレキシブル基板における端子の配置態様を変更したものを示し、その他は前記実施形態１と同様である。前記実施形態と同一部分には、同一符号を付して重複する説明を省略する。
図１３は本実施形態に係る液晶表示装置に備わるコネクタの各端子の配置構成を模式的に示す図、図１４はフレキシブル基板に形成された導電路の構成を示す平面図、図１５はコネクタとフレキシブル基板との接続の途中段階を示す模式図である。
【００４４】
制御基板３０に設けられたコネクタ８０には、図１３に示すように、導電パターン３３と接続された通電端子８１と、接地用のグランドパターン３４と接続された接地端子８２とが並列配置されている。これら通電端子８１及び接地端子８２の配置態様をこれらの並列方向に見た場合には、コネクタ８０の中央部側に通電端子８１が複数配置され、当該通電端子８１のうち配列端部に位置するものより外側に接地端子８２がそれぞれ１つずつ配置されている。一方、通電端子８１及び接地端子８２の配置態様をこれらの延設方向に見た場合には、これら通電端子８１及び接地端子８２は、後述するフレキシブル基板９０に接続される側の先端部が、同一直線上に位置している。
【００４５】
一方、フレキシブル基板９０は、図１４に示すように、可撓性を有するシート７０と、当該シート７０上にプリントされた複数の導電路９１からなる。複数の導電路９１は、コネクタ８０の通電端子８１と接続される通電用導電路（通電端子）９２と、コネクタ８０の接地端子８２に接続される接地用導電路（接地端子）９３とに区分される。これら通電用導電路９２及び接地用導電路９３の配置態様をこれらの並列方向に見た場合には、フレキシブル基板９０の中央部側に通電用導電路９２が複数配列され、当該通電用導電路９２のうち配列端部に位置するものより外側に接地用導電路９３がそれぞれ１つずつ延設されている。一方、通電用導電路９２及び接地用導電路９３の配置態様をこれらの延設方向に見た場合には、接地用導電路９３は、通電用導電路９２よりもコネクタ８０への接続方向に突出した形となっている。
【００４６】
上記した、フレキシブル基板９０の導電路９１をコネクタ８０に挿入することにより、フレキシブル基板９０と制御基板３０との電気的接続状態が形成される。ここで、フレキシブル基板９０をコネクタ８０の横開口部３６ｂに挿入していくと、フレキシブル基板９０の接地用導電路９３がコネクタ８０への接続方向に突出しているため、まず、フレキシブル基板９０の接地用導電路９３とコネクタ８０の接地端子８２とが接触する。このとき、液晶パネル１１において、保護シートの剥離作業等に伴い生じた静電気が、フレキシブル基板９０の接地用導電路９３からコネクタ８０の接地端子８２に伝達される。そして、当該静電気は、コネクタ８０の接地端子８２から制御基板３０のグランドパターン３４に伝達されることで放電されることとなる。さらにフレキシブル基板９０のコネクタ８０への挿入を進めると、フレキシブル基板９０の通電用導電路９２とコネクタ８０の通電端子８１とが接触し、フレキシブル基板９０と制御基板３０との電気的接続状態が形成される。
【００４７】
以上説明したように、本実施形態に係る液晶表示装置１０は、制御基板３０に設けられたコネクタ８０と、フレキシブル基板９０に形成された導電路９１とが接続されることで、これらコネクタ８０とフレキシブル基板９０との電気的接続状態が形成されてなり、フレキシブル基板９０の接地用導電路９３の先端が、当該フレキシブル基板９０の通電用導電路９２の先端よりも、コネクタ８０への接続方向に突出している。
このような構成によれば、制御基板３０のコネクタ８０と、フレキシブル基板９０の導電路９１とを接続する場合に、コネクタ８０の接地端子８２と、導電路９１の接地用導電路９３とが、通電端子８１及び通電用導電路９２よりも先に接触するため、液晶パネル１１に蓄積された静電気による制御回路３２の破壊を抑止することが可能となる。
【００４８】
また、本実施形態では、液晶パネル１１と制御基板３０とが可撓性を有するフレキシブル基板９０により接続されている。
フレキシブル基板９０であれば、導電路９１は基板上へのプリントにより形成されるため、接地用導電路９３が導通用導電路９２に比してコネクタ８０への接続方向に突出した形とすることが容易である。さらに、液晶パネル１１と制御基板３０との配置態様にかかわらず、これらの電気的接続を好適に形成することができる。
【００４９】
＜他の実施形態＞
以上、本発明の実施形態について示したが、本発明は上記記述及び図面によって説明した実施形態に限定されるものではなく、例えば次のような実施形態も本発明の技術的範囲に含まれる。
【００５０】
（１）上記した実施形態２では、フレキシブル基板の両端部に形成された２つの接地用導電路９３がコネクタ８０側へ突出した形としたが、接地用導電路の突出態様はこれに限られるものではない。例えば図１６に示すように、フレキシブル基板９０Ａの両端部及び中央部側に形成された４つの接地用導電路９３Ａがコネクタ側へ突出した形等、種々の突出態様を選択することが可能である。また、コネクタにおける接地端子の突出態様に関しても、同様に種々の突出態様を選択することが可能である。
【００５１】
（２）上記した各実施形態では、コネクタの接地端子と、フレキシブル基板の接地用導電路とのどちらか一方が、相手側への接続方向に突出した形としたが、接地端子と接地用導電路との両方が突出した形としても良い。
【００５２】
（３）上記した各実施形態では、液晶パネルと制御基板との接続手段として、可撓性を有するフレキシブル基板を選択したが、例えば可撓性を有するフレキシブルケーブル等を選択しても良く、あるいは、可撓性を有しない導通用基板を選択しても良い。
【００５３】
（４）上記した各実施形態では、表示パネルとして液晶パネルを用いた場合を示したが、他の種類の表示パネル（例えばＰＤＰ、ＥＬパネルなど）を用いた表示装置にも本発明は適用可能である。
【図面の簡単な説明】
【００５４】
【図１】本発明の実施形態１に係るテレビ受信装置の概略構成を示す分解斜視図。
【図２】図１のテレビ受信装置が備える液晶表示装置の概略構成を示す分解斜視図。
【図３】図２の液晶表示装置の長辺方向に沿った断面構成を示す断面図。
【図４】図２の液晶表示装置に備わる液晶パネルのアレイ基板上の配線構成を示す拡大平面図。
【図５】液晶パネル及びこれに接続されたフレキシブル基板の構成を示す平面図。
【図６】図２の液晶表示装置に備わる制御基板の概略構成を示す平面図。
【図７】図６の制御基板に設けられたコネクタの構成を示す断面図。
【図８】図７のコネクタの各端子の配置構成を模式的に示す図。
【図９】フレキシブル基板に形成された導電路の構成を示す平面図。
【図１０】制御基板のコネクタにフレキシブル基板が挿入された状態を示す断面図。
【図１１】コネクタとフレキシブル基板との接続の途中段階を示す模式図。
【図１２】コネクタとフレキシブル基板との接続の完了段階を示す模式図。
【図１３】本発明の実施形態２に係る液晶表示装置に備わるコネクタの各端子の配置構成を模式的に示す図。
【図１４】フレキシブル基板に形成された導電路の構成を示す平面図。
【図１５】コネクタとフレキシブル基板との接続の途中段階を示す模式図。
【図１６】フレキシブル基板に形成された導電路の構成の一変形例を示す平面図。
【符号の説明】
【００５５】
１０…液晶表示装置（表示装置）、１１…液晶パネル（表示パネル）、３０…制御基板、３２…制御回路（電子部品）、３５…コネクタ（第１端子部）、３７…通電端子、３８…接地端子、６３…フレキシブル基板（接続手段）、７１…導電路（第２端子部）、７２…通電用導電路（通電端子）、７３…接地用導電路（接地端子）、ＴＶ…テレビ受信装置
【図１】
2009300976.tif 000003
【図２】
2009300976.tif 000004
【図３】
2009300976.tif 000005
【図４】
2009300976.tif 000006
【図５】
2009300976.tif 000007
【図６】
2009300976.tif 000008
【図７】
2009300976.tif 000009
【図８】
2009300976.tif 000010
【図９】
2009300976.tif 000011
【図１０】
2009300976.tif 000012
【図１１】
2009300976.tif 000013
【図１２】
2009300976.tif 000014
【図１３】
2009300976.tif 000015
【図１４】
2009300976.tif 000016
【図１５】
2009300976.tif 000017
【図１６】
2009300976.tif 000018